(57)【特許請求の範囲】
【請求項１】
環状の支持板（２）の内周縁に立ち上がり壁（６）を介して盛り上がる形で凹面状の基板（９）がその周縁部を節として振動自在に連設された本体（４）を有し、
前記基板に上部ゴミ捕集体（１０）を形成し、
前記基板に錘（１１）を付設したことを特徴とする排水口フィルタ。
【請求項２】
上部ゴミ捕集体（１０）として、複数本の縦目（１０ａ）の上側に複数本の横目（１０ｂ）が重なった格子状のものを採用したことを特徴とする請求項１に記載の排水口フィルタ。
【請求項３】
基板（９）に対して錘（１１）を着脱自在としたことを特徴とする請求項１または請求項２に記載の排水口フィルタ。
【請求項４】
本体（４）の材質としてポリプロピレンを採用したことを特徴とする請求項１から請求項３までのいずれかに記載の排水口フィルタ。
【発明の詳細な説明】
【０００１】
【発明の属する技術分野】
本発明は、浴室や洗面台その他の水回りにおいて、頭髪などのゴミが排水口に侵入して詰まるのを防ぐために排水口の蓋に載置する排水口フィルタに関するものである。
【０００２】
【従来の技術】
従来この種の排水口フィルタとしては、ゴミ捕集部を備えたポリプロピレン製または塩化ビニル製のものが用いられてきた。
【０００３】
【発明が解決しようとする課題】
しかし、これでは次のような不都合があった。
【０００４】
まず、ポリプロピレン製の排水口フィルタは、排水口に単に載置しただけでは水流で浮き上がってしまうことから、排水口フィルタに形成された爪を使用時に排水口の蓋に係着させなければならない不便があるばかりか、排水口の蓋の形状によっては爪がうまく係合しない恐れがある。
【０００５】
他方、塩化ビニル製の排水口フィルタは柔らかいため、ゴミ捕集部に絡まったゴミを取り除くときに直接あるいはティッシュペーパを使って手でゴミを摘む必要があり、見るからに不衛生である。
【０００６】
本発明は、このような事情に鑑み、排水口の蓋の形状を問わずに簡単に載置して使うことができ、しかも衛生的にゴミを取り除くことが可能な排水口フィルタを提供することを目的とする。
【０００７】
【課題を解決するための手段】
まず、本発明のうち請求項１に係る発明は、環状の支持板（２）の内周縁に立ち上がり壁（６）を介して盛り上がる形で凹面状の基板（９）がその周縁部を節として振動自在に連設された本体（４）を有し、前記基板に上部ゴミ捕集体（１０）を形成し、前記基板に錘（１１）を付設して構成される。
【０００８】
こうした構成を採用することにより、錘によって本体が安定するため排水口フィルタがその使用中に水流で浮き上がってしまう事態は生じにくいばかりか、上部ゴミ捕集体に絡まって捕集されたゴミを取り除くには、本体をゴミ箱の縁などにぶつけるだけで、基板が凹球面状から凸球面状に変化するように振動してゴミが脱落するように作用する。
【０００９】
また、本発明のうち請求項２に係る発明は、上記上部ゴミ捕集体（１０）として、複数本の縦目（１０ａ）の上側に複数本の横目（１０ｂ）が重なった格子状のものを採用して構成される。かかる構成により、上部ゴミ捕集体とゴミとの接触面積が減少し、基板の振動によるゴミの脱落が容易となるように作用する。
【００１０】
また、本発明のうち請求項３に係る発明は、上記基板（９）に対して錘（１１）を着脱自在として構成される。かかる構成により、錘を本体と分別して破棄することが可能となり、地球環境にやさしくなるように作用する。
【００１１】
さらに、本発明のうち請求項４に係る発明は、上記本体（４）の材質としてポリプロピレンを採用して構成される。かかる構成により、本体の耐薬品性が向上し、劣化しにくくなるように作用する。
【００１２】
なお、括弧内の符号は図面において対応する要素を表す便宜的なものであり、したがって、本発明は図面上の記載に限定拘束されるものではない。このことは「特許請求の範囲」の欄についても同様である。
【００１３】
【発明の実施の形態】
以下、本発明の実施形態を図面に基づいて説明する。
図１は本発明に係る排水口フィルタの第１の実施形態を示す図であって、（ａ）はその平面図、（ｂ）はその正面図、（ｃ）は（ａ）のＣ−Ｃ線による断面図である。
【００１４】
この排水口フィルタ１は、図１に示すように、ポリプロピレン製の本体４、ソフトメタルなどの金属製の錘１１およびポリプロピレン製の蓋体１２から構成されており、本体４は支持板２、下部ゴミ捕集体３、取っ手５、立ち上がり壁６、通水孔７、基板９、上部ゴミ捕集体１０および錘収納箱１３から構成されている。
【００１５】
すなわち、図１に示すように、本体４は円環状の支持板２を有しており、支持板２には３個の下部ゴミ捕集体３が形成されている。さらに、支持板２の外周縁の一部には取っ手５が上向きに立設されている。また、支持板２の内周縁にはその全周にわたって円錐台状の立ち上がり壁６が斜め上向きに連設されており、立ち上がり壁６には多数個の通水孔７が穿設されている。また、立ち上がり壁６の上端には凹球面状の基板９がその周縁部を節として振動自在に連設されており、基板９にはそのほぼ全面にわたって上部ゴミ捕集体１０が形成されている。さらに、基板９の中央部には錘収納箱１３が形成されている。なお、各下部ゴミ捕集体３は、図１（ａ）、（ｃ）に示すように、複数本の縦目３ａの上側に複数本の横目３ｂが重なった格子状となっている。同様に、上部ゴミ捕集体１０は、複数本の縦目１０ａの上側に複数本の横目１０ｂが重なった格子状となっている。
【００１６】
そして、この本体４の錘収納箱１３には、図１（ｃ）に示すように、錘１１が着脱自在に収納されており、錘収納箱１３に錘１１を収納した状態で蓋体１２を冠着することにより、錘１１を本体４に固着することができる。
【００１７】
排水口フィルタ１は以上のような構成を有するので、この排水口フィルタ１を使う際には、錘収納箱１３に錘１１が収納されている状態で排水口フィルタ１を排水口（図示せず）の蓋に載置する。すると、頭髪などのゴミは下部ゴミ捕集体３や上部ゴミ捕集体１０に絡まって捕集されるため、排水口に侵入して詰まる事態は生じない。このとき、排水口フィルタ１には錘１１が内蔵されているので、排水口フィルタ１がその使用中に水流で浮き上がってしまう事態は生じにくい。また、凹球面状の基板９は立ち上がり壁６を介して盛り上がる形で連設されているため、排水口フィルタ１を排水口の蓋に載置しても錘収納箱１３が排水口の蓋に当接してしまうことはなく、排水口フィルタ１の載置を支障なく行うことができる。
【００１８】
そして、こうして排水口フィルタ１に捕集されたゴミを取り除くには、取っ手５を把持して本体４をゴミ箱（図示せず）の縁にぶつける。すると、その衝撃で排水口フィルタ１の基板９が凹球面状から凸球面状に変化するように振動するので、下部ゴミ捕集体３や上部ゴミ捕集体１０に絡まっているゴミが脱落してゴミ箱に入る。このとき、下部ゴミ捕集体３および上部ゴミ捕集体１０は、上述したとおり、複数本の縦目３ａ、１０ａの上側に複数本の横目３ｂ、１０ｂが重なった格子状であり、ゴミとの接触面積が少ないことから、振動によってゴミを容易に取り除くことができる。
【００１９】
また、排水口フィルタ１の本体４および蓋体１２はポリプロピレン製であるため、塩化ビニル製のものに比べて耐薬品性に優れ、劣化しづらい。しかも、錘１１は本体４に対して着脱自在となっているので、排水口フィルタ１を破棄するときには、金属製の錘１１をポリプロピレン製の本体４および蓋体１２と分別して破棄することができ、地球環境にもやさしい。
【００２０】
なお、上述の実施形態においては、支持板２に３個の下部ゴミ捕集体３を形成した排水口フィルタ１について説明したが、下部ゴミ捕集体３の個数は３個に限るわけではなく、また下部ゴミ捕集体３を省くことも可能である。
【００２１】
【発明の効果】
以上説明したように、本発明のうち請求項１に係る発明によれば、錘によって本体が安定するため排水口フィルタがその使用中に水流で浮き上がってしまう事態は生じにくいばかりか、上部ゴミ捕集体に絡まって捕集されたゴミを取り除くには、本体をゴミ箱の縁などにぶつけるだけで、基板が凹球面状から凸球面状に変化するように振動してゴミが脱落することから、排水口の蓋の形状を問わずに簡単に載置して使うことができ、しかも衛生的にゴミを取り除くことが可能な排水口フィルタを提供することができる。
【００２２】
また、本発明のうち請求項２に係る発明によれば、上部ゴミ捕集体とゴミとの接触面積が減少し、基板の振動によるゴミの脱落が容易となるため、排水口フィルタの使い勝手が向上する。
【００２３】
また、本発明のうち請求項３に係る発明によれば、錘を本体と分別して破棄することが可能となり、地球環境にやさしくなるため、排水口フィルタのリサイクルが容易となる。
【００２４】
さらに、本発明のうち請求項４に係る発明によれば、本体の耐薬品性が向上し、劣化しにくくなるため、排水口フィルタの長期的な耐久性が向上する。
【図面の簡単な説明】
【図１】本発明に係る排水口フィルタの第１の実施形態を示す図であって、（ａ）はその平面図、（ｂ）はその正面図、（ｃ）は（ａ）のＣ−Ｃ線による断面図である。
【符号の説明】
１……排水口フィルタ
２……支持板
４……本体
６……立ち上がり壁
９……基板
１０……上部ゴミ捕集体
１０ａ……縦目
１０ｂ……横目
１１……錘
【図１】
0003840983.tif 000002